(57)【要約】  【課題】  外来ノイズやアンテナアンプの影響で入力信号のノイズフロアが上昇しＣＮが低下したときでも、スピーカーから聴こえる耳障りなノイズを低減できる受信装置を提供する。【解決手段】  希望局の信号レベルを検出する希望局レベル検出部４と、希望局の下側に隣接する周波数帯の信号レベルを検出する下側レベル検出部５と、希望局の上側に隣接する周波数帯の信号レベルを検出する上側レベル検出部６と、検出されたレベルに応じて周波数特性可変部７の周波数特性を制御する周波数特性制御部８とを備え、検出したレベルに応じて入力信号のＣＮを検知し、ＣＮが低下しているときには周波数特性可変部７の周波数特性の高域成分の減衰量を増加させて聴感上の耳障り感を低減する。【選択図】  図１
2006253886.tif 000002
【特許請求の範囲】
【請求項１】
希望局の周波数に同調かつ変調信号を復調して音声信号を出力する受信装置において、
希望局の信号レベルを検出する希望局レベル検出部と、
この希望局の周波数帯域の下側に隣接する周波数帯域の信号レベルを検出する下側レベル検出部と、
前記希望局の周波数帯域の上側に隣接する周波数帯域の信号レベルを検出する上側レベル検出部と、
前記受信装置から出力される音声信号の周波数特性を変化させる周波数特性可変部と、
この周波数特性可変部を制御する周波数特性制御部とを備え、
前記周波数特性制御部は、前記希望局の信号レベルが小さいとき音声信号出力の高域成分の減衰量を増加させ、
前記希望局の周波数帯域の下側に隣接する周波数帯域の信号レベル及び前記希望局の周波数帯域の上側に隣接する周波数帯域の信号レベルに応じて、前記音声信号出力の高域成分の減衰量が大きくなるように動作することを特徴とする受信装置。
【請求項２】
出力される音声信号の音量を変化させる音量可変部と、
この音量可変部を制御する音量制御部とを備え、
前記希望局の信号レベルが小さいときに前記音量可変部において音声信号出力が小さくなるように前記音量制御部が動作すると共に前記希望局の周波数帯域の下側に隣接する周波数帯域の信号レベル及び前記希望局の周波数帯域の上側に隣接する周波数帯域の信号レベルに応じて、前記希望局信号レベルに応じた前記音量可変部で音声信号出力が小さくなるように前記音量制御部が動作することを特徴とする受信装置。
【請求項３】
受信装置の希望局信号レベルが小さいとき、音声信号出力の高域成分の減衰量が大きくなるように前記周波数特性制御部を動作させると共に音声信号出力の音量が小さくなるように前記音量制御部が動作し、かつ前記希望局の周波数帯域の下側に隣接する周波数帯域の信号レベル及び前記希望局の周波数帯域の上側に隣接する周波数帯域の信号レベルに応じて、前記希望局信号レベルに応じた前記周波数特性可変部における音声信号出力の高域成分の減衰量が大きくなるように前記周波数特性制御部を動作させ、前記希望局信号レベルに応じた前記音量可変部の音声信号出力が小さくなるように前記音量制御部が動作することを特徴とする受信装置。
【請求項４】
前記受信装置は、
希望局レベル検出部の出力レベルをシフトさせる希望局レベルシフト部とを備え、
前記希望局レベルシフト部において前記希望局の周波数帯域の下側に隣接する周波数帯域の信号レベル及び前記希望局の周波数帯域の上側に隣接する周波数帯域の信号レベルに応じて前記希望局レベル検出部の出力レベルを減衰させ、前記希望局レベルシフト部の出力レベルが小さいとき、前記周波数特性可変部における音声信号出力の高域成分の減衰量が大きくなるように前記周波数特性制御部を動作させ、かつ前記音量可変部において音声信号出力が小さくなるように前記音量制御部が動作することを特徴とする請求項３に記載の受信装置。
【請求項５】
前記受信装置は、  
通過帯域幅を可変できる帯域幅可変ＢＰＦ部と、
前記帯域幅可変ＢＰＦ部を制御する帯域幅制御部とを備え、
前記希望局の信号レベルが低いときに帯域幅可変ＢＰＦ部の帯域幅が狭くなるように帯域幅制御部を動作させ、前記希望局の周波数帯域の下側に隣接する周波数帯域の信号レベルと前記希望局の信号レベルとの差、及び、前記希望局の周波数帯域の上側に隣接する周波数帯域の信号レベルと前記希望局の信号レベルとの差に応じて前記帯域幅制御部を動作させることを特徴とする請求項１から請求項４のいずれか１項に記載の受信装置。
【請求項６】
前記受信装置は、
アンテナ部で受信した電波をＩＦ周波数帯に変換しＩＦ信号を出力するＲＦフロントエンド部と、
ＩＦ信号のうち前記希望局の周波数帯域の信号のみを通過させる希望局帯域ＢＰＦ部と、
この希望局帯域ＢＰＦ部を通過する信号レベルを検出するレベル検出部と、
ＩＦ信号のうち前記希望局の周波数帯域の下側に隣接する周波数帯域の信号のみを通過させる下側隣接帯域ＢＰＦ部と、
この下側隣接帯域ＢＰＦ部を通過する信号レベルを検出するレベル検出部と、ＩＦ信号のうち前記希望局の周波数帯域の上側に隣接する周波数帯域の信号のみを通過させる上側隣接帯域ＢＰＦ部と、
この上側隣接帯域ＢＰＦ部を通過する信号レベルを検出するレベル検出部とを備えて構成されることを特徴とする請求項１から請求項５のいずれか１項に記載の受信装置。
【請求項７】
前記受信装置は、
アンテナ部で受信した電波をＩＦ周波数帯に変換しＩＦ信号を出力するＲＦフロントエンド部と、
ＩＦ信号をデジタル信号に変換するＡＤ部と、
復調および出力する音声信号の周波数特性の制御と音量の制御とをおこなうＤＳＰ部と、
ＤＳＰ部から出力されるデジタル信号を音声信号に変換するＤＡ部とを備え、デジタル信号処理により前記希望局の信号レベルと、前記希望局の周波数帯域の下側に隣接する周波数帯域の信号レベル及び前記希望局の周波数帯域の上側に隣接する周波数帯域の信号レベルとを検出し、検出された信号レベルに応じて音声信号出力の周波数特性の制御及び音量制御をおこなうことを特徴とする請求項１から請求項５のいずれか１項に記載の受信装置。
【発明の詳細な説明】
【技術分野】
【０００１】
本発明は、希望局の受信電界レベルに応じて出力する音声信号の周波数特性と音量を可変させる受信装置に関するものである。
【背景技術】
【０００２】
従来の受信装置は、アンテナで受信した希望局の信号レベルを検出し、希望局の信号レベルが低いときには、スピーカから出力する音声信号の高域成分を希望局の信号レベルに応じて減衰させて聴感上耳障りとなるノイズを低減させたり、スピーカから出力する音量を希望局の信号レベルに応じて低下させ、スピーカから出力されるノイズレベルを低減している。
【０００３】
図１５は、従来の受信装置のブロック図である。アンテナ部１で受信した電波はＲＦフロントエンド部２でＩＦ周波数帯に周波数変換され、復調部３でＡＦ（Ａｕｄｉｏ  Ｆｒｅｑｕｅｎｃｙ）信号に復調される。希望局レベル検出部４はＩＦ周波数帯に周波数変換された信号から希望局の周波数帯域の信号を抜き出し希望局信号レベルを検出する。周波数特性制御部１３は、希望局信号レベルに応じた周波数特性制御信号を出力する。周波数特性可変部７は周波数特性制御信号に応じて復調部３から出力されたＡＦ信号の周波数特性を変化させる。音量制御部１０は、希望局信号レベルに応じた音量制御信号を出力する。音量可変部９は、音量制御信号に応じて周波数特性可変部７から出力されたＡＦ信号のレベルを変化させる。ＡＦアンプ部１１は、音量可変部１０から出力されたＡＦ信号を特定の利得で増幅し、スピーカ１２は音声信号を出力する。
【０００４】
図１６は、従来の受信装置における希望局信号レベルと周波数特性可変部７の周波数特性との関係を説明するグラフである。希望局信号レベルが低下し、希望局信号レベルがある値以下となると周波数特性制御部１３から出力される周波数特性制御信号の値が変化し（図１６（ａ）では希望局の信号レベルが低下するのに応じて周波数特性制御信号の値が増加するように図示している）、図１６（ｂ）に示すように周波数特性可変部７の周波数特性は通常時の周波数特性である図１６（ｂ）（エ）から、希望局信号レベルが低下するのに応じて（エ）→（オ）→（カ）→（キ）というようにＡＦ信号の高域成分の減衰量が大きくなっていく。
【０００５】
図１７は、従来の受信装置における希望局信号レベルと音量可変部９の通過特性との関係を説明するグラフである。希望局信号レベルが低下し、希望局信号レベルがある値以下となると音量制御部１０から出力される音量制御信号の値が変化し（図１７（ａ）では希望局信号レベルが低下するのに応じて音量制御信号の値が減少するように図示している）、図１７（ｂ）に示すように音量可変部９の出力レベルは通常時の通過特性である図１７（ｂ）（エ）から、希望局信号レベルが低下するのに応じて（エ）→（オ）→（カ）→（キ）というようにＡＦ信号の出力レベルが減少していく。
【０００６】
例えば、希望局の信号レベルを検知し信号レベルが所定レベル以下の場合は、電子ボリュームのトレブルを調整し、スピーカから出力される音声信号の高域成分を減衰させ、聴感上耳障りなノイズを低減するラジオ受信装置が開示されている（例えば、特許文献１）。
【０００７】
また、希望局の信号レベルが低いときＡＦ信号の高域成分を減衰させるとともに、高域成分が減衰したことによる聴感上の音量低下を低減するために、希望局の信号レベルが低
いときに音量を補償する受信装置が開示されている（例えば、特許文献２）。
【特許文献１】実開平６−９２３６号公報
【特許文献２】特開平９−５１２８３号公報
【発明の開示】
【発明が解決しようとする課題】
【０００８】
しかしながら、従来の受信装置の構成では希望局の信号レベルを検出し、これを用いてＡＦ信号の高域成分の減衰量の制御や、音量の減衰量の制御をおこなっているために、例えば、外来ノイズの増加やアンテナアンプを使用することで受信装置に入力される希望局信号のＣＮが低下しているときに、ＡＦ信号の高域成分の減衰量が不足し、聴感上耳障りなノイズがスピーカから出力されてしまう恐れがあった。また音量の減衰量が不足し、スピーカから出力されるノイズレベルが大きくなってしまうという問題があった。さらに、希望局の周波数帯域に隣接した周波数帯域に過大な妨害信号が存在した場合、妨害信号の影響で聴感上耳障りなノイズや大きいレベルのノイズがスピーカから出力される恐れがあった。
【０００９】
そこで本発明は、従来の問題を解決するためになされたものであって、外来ノイズやアンテナアンプの影響で受信装置に入力される希望局の信号のＣＮが低下した場合や希望局の周波数帯域に隣接した周波数帯域に過大な妨害信号が存在したとき場合でも、受信性能の高い受信装置を提供することを目的とする。
【課題を解決するための手段】
【００１０】
本発明の受信装置は、希望局の周波数に同調かつ変調信号を復調して音声信号を出力する受信装置において、希望局の信号レベルを検出する希望局レベル検出部と、この希望局の周波数帯域の下側に隣接する周波数帯域の信号レベルを検出する下側レベル検出部と、前記希望局の周波数帯域の上側に隣接する周波数帯域の信号レベルを検出する上側レベル検出部と、前記受信装置から出力される音声信号の周波数特性を変化させる周波数特性可変部と、この周波数特性可変部を制御する周波数特性制御部とを備え、前記周波数特性制御部は、前記希望局の信号レベルが小さいとき音声信号出力の高域成分の減衰量を増加させ、前記希望局の周波数帯域の下側に隣接する周波数帯域の信号レベル及び前記希望局の周波数帯域の上側に隣接する周波数帯域の信号レベルに応じて、前記音声信号出力の高域成分の減衰量が大きくなるように動作する構成を有している。
【００１１】
この構成により、希望局の周波数帯域の下側に隣接する周波数帯域の信号レベルと希望局の周波数帯域の上側に隣接する周波数帯域の信号レベルとが大きいとき、希望局の信号レベルに応じた周波数特性可変部におけるＡＦ信号の高域成分の減衰量が大きくなるように周波数特性制御部が動作することで希望局の信号のＣＮが低下した場合でも、スピーカから出力される聴感上耳障りなノイズを低減することができる。また、希望局の周波数帯域の下側に隣接する周波数帯域の信号レベル、もしくは希望局の周波数帯域の上側に隣接する周波数帯域の信号レベルが、希望局の信号レベルと比較して過大なとき、希望局の周波数帯域に隣接した周波数帯域に過大な妨害信号が存在することを検知し、このとき希望局の信号レベルに応じた周波数特性可変部におけるＡＦ信号の高域成分の減衰量が、大きくなるように周波数特性制御部が動作することにより、希望局の周波数帯域に隣接した周波数帯域に過大な妨害信号が存在した場合でも、スピーカから出力される聴感上耳障りなノイズを低減することができる。
【００１２】
また、本発明の受信装置は、出力される音声信号の音量を変化させる音量可変部と、この音量可変部を制御する音量制御部とを備え、前記希望局の信号レベルが小さいときに前記音量可変部において音声信号出力が小さくなるように前記音量制御部が動作すると共に前記希望局の周波数帯域の下側に隣接する周波数帯域の信号レベル及び前記希望局の周波
数帯域の上側に隣接する周波数帯域の信号レベルに応じて、前記希望局信号レベルに応じた前記音量可変部で音声信号出力が小さくなるように前記音量制御部が動作する構成を有している。
【００１３】
この構成により、希望局の周波数帯域の下側に隣接する周波数帯域の信号レベルと希望局の周波数帯域の上側に隣接する周波数帯域の信号レベルとが大きいとき、受信装置に入力される希望局の信号のノイズフロアが増大していると推測し、希望局の信号レベルに応じた音量可変部における出力レベルの減衰量が大きくなるように音量制御部が動作することで希望局の信号が低下した場合でも、スピーカから出力されるノイズレベルを低減することができる。また、希望局の周波数帯域の下側に隣接する周波数帯域の信号レベル、もしくは希望局の周波数帯域の上側に隣接する周波数帯域の信号レベルが、希望局の信号レベルと比較して過大なとき、希望局の周波数帯域に隣接した周波数帯域に過大な妨害信号が存在することを検知し、このとき希望局の信号レベルに応じた音量可変部におけるＡＦ信号出力レベルの減衰量が、大きくなるように音量制御部が動作することにより、希望局の周波数帯域に隣接した周波数帯域に過大な妨害信号が存在した場合でも、スピーカから出力されるノイズレベルを低減することができる。
【００１４】
また、受信装置の希望局信号レベルが小さいとき、音声信号出力の高域成分の減衰量が大きくなるように前記周波数特性制御部を動作させると共に音声信号出力の音量が小さくなるように前記音量制御部が動作し、かつ前記希望局の周波数帯域の下側に隣接する周波数帯域の信号レベル及び前記希望局の周波数帯域の上側に隣接する周波数帯域の信号レベルに応じて、前記希望局信号レベルに応じた前記周波数特性可変部における音声信号出力の高域成分の減衰量が大きくなるように前記周波数特性制御部を動作させ、前記希望局信号レベルに応じた前記音量可変部の音声信号出力が小さくなるように前記音量制御部が動作することを特徴とする動作する構成を有している。
【００１５】
この構成により、希望局の周波数帯域の下側に隣接する周波数帯域の信号レベルと希望局の周波数帯域の上側に隣接する周波数帯域の信号レベルとが大きいとき、受信装置に入力される希望局の信号のノイズフロアが増大していると推測し、このとき希望局の信号レベルに応じた周波数特性可変部におけるＡＦ信号の高域成分の減衰量が、大きくなるように周波数特性制御部が動作し、希望局の信号レベルに応じた音量可変部におけるＡＦ信号出力レベルの減衰量が、大きくなるように音量制御部が動作することにより、外来ノイズやアンテナアンプの影響で希望局の信号のＣＮが低下した場合でも、スピーカから出力される聴感上耳障りなノイズを低減し、同時にスピーカから出力されるノイズレベルを低減することができる。また、希望局の周波数帯域の下側に隣接する周波数帯域の信号レベル、もしくは希望局の周波数帯域の上側に隣接する周波数帯域の信号レベルが、希望局の信号レベルと比較して過大なとき、希望局の周波数帯域に隣接した周波数帯域に過大な妨害信号が存在することを検知し、このとき希望局の信号レベルに応じた周波数特性可変部におけるＡＦ信号の高域成分の減衰量が、大きくなるように周波数特性制御部が動作し、希望局の信号レベルに応じた音量可変部におけるＡＦ信号出力レベルの減衰量が、大きくなるように音量制御部が動作することにより、希望局の周波数帯域に隣接した周波数帯域に過大な妨害信号が存在した場合でも、スピーカから出力される聴感上耳障りなノイズを低減し、同時にスピーカから出力されるノイズレベルを低減することができる。
【００１６】
また、前記受信装置は、希望局レベル検出部の出力レベルをシフトさせる希望局レベルシフト部とを備え、前記希望局レベルシフト部において前記希望局の周波数帯域の下側に隣接する周波数帯域の信号レベル及び前記希望局の周波数帯域の上側に隣接する周波数帯域の信号レベルに応じて前記希望局レベル検出部の出力レベルを減衰させ、前記希望局レベルシフト部の出力レベルが小さいとき、前記周波数特性可変部における音声信号出力の高域成分の減衰量が大きくなるように前記周波数特性制御部を動作させ、かつ前記音量可
変部において音声信号出力が小さくなるように前記音量制御部が動作する構成を有している。
【００１７】
この構成により、希望局の周波数帯域の下側に隣接する周波数帯域の信号レベルと希望局の周波数帯域の上側に隣接する周波数帯域の信号レベルとが大きいとき、外来ノイズやアンテナアンプの影響により受信装置に入力される希望局の信号のノイズフロアが増大していると推測し、このとき希望局レベル検出部で検出された希望局信号レベルが希望局レベルシフト部において減衰され、この希望局レベルシフト部の出力に応じて周波数特性制御部と音量制御部とが動作することにより、外来ノイズやアンテナアンプの影響で希望局の信号のＣＮが低下した場合でも、スピーカから出力される聴感上耳障りなノイズを低減し、同時にスピーカから出力されるノイズレベルを低減することができる。また、希望局の周波数帯域の下側に隣接する周波数帯域の信号レベル、もしくは希望局の周波数帯域の上側に隣接する周波数帯域の信号レベルが、希望局の信号レベルと比較して過大なとき、希望局の周波数帯域に隣接した周波数帯域に過大な妨害信号が存在することを検知し、このとき希望局レベル検出部で検出された希望局信号レベルが希望局レベルシフト部において減衰され、この希望局レベルシフト部の出力に応じて周波数特性制御部と音量制御部とが動作することにより、希望局の周波数帯域に隣接した周波数帯域に過大な妨害信号が存在した場合でも、スピーカから出力される聴感上耳障りなノイズを低減し、同時にスピーカーから出力されるノイズレベルを低減することができる。
【００１８】
さらに本発明の前記受信装置は、通過帯域幅を可変できる帯域幅可変ＢＰＦ部と、前記帯域幅可変ＢＰＦ部を制御する帯域幅制御部とを備え、前記希望局の信号レベルが低いときに帯域幅可変ＢＰＦ部の帯域幅が狭くなるように帯域幅制御部を動作させ、前記希望局の周波数帯域の下側に隣接する周波数帯域の信号レベルと前記希望局の信号レベルとの差、又は、前記希望局の周波数帯域の上側に隣接する周波数帯域の信号レベルと前記希望局の信号レベルとの差に応じて前記帯域幅制御部を動作させる構成を有している。  
【００１９】
この構成により、希望局の周波数帯域の下側に隣接する周波数帯域の信号レベルと希望局の周波数帯域の上側に隣接する周波数帯域の信号レベルとが大きいとき、外来ノイズやアンテナアンプの影響により受信装置に入力される希望局の信号のノイズフロアが増大していると推測し、このとき希望局の信号レベルに応じた帯域幅可変ＢＰＦ（バウンドパスフィルタ）部における通過帯域幅が、狭くなるように帯域幅制御部が動作することにより、外来ノイズやアンテナアンプの影響で希望局の信号のＣＮが低下した場合でも、スピーカから出力される聴感上耳障りなノイズを低減し、同時にスピーカから出力されるノイズレベルを低減することができる。また、希望局の周波数帯域の下側に隣接する周波数帯域の信号レベル、もしくは希望局の周波数帯域の上側に隣接する周波数帯域の信号レベルが、希望局の信号レベルと比較して過大なとき、希望局の周波数帯域に隣接した周波数帯域に過大な妨害信号が存在することを検知し、このとき希望局の信号レベルに応じた帯域幅可変ＢＰＦ部における通過帯域幅が、狭くなるように帯域幅制御部が動作することにより、希望局の周波数帯域に隣接した周波数帯域に過大な妨害信号が存在した場合でも、スピーカから出力される聴感上耳障りなノイズを低減し、同時にスピーカから出力されるノイズレベルを低減することができる。
【００２０】
さらに本発明の前記受信装置は、アンテナ部で受信した電波をＩＦ周波数帯に変換しＩＦ信号を出力するＲＦフロントエンド部と、ＩＦ信号のうち前記希望局の周波数帯域の信号のみを通過させる希望局帯域ＢＰＦ部と、この希望局帯域ＢＰＦ部を通過する信号レベルを検出するレベル検出部と、ＩＦ信号のうち前記希望局の周波数帯域の下側に隣接する周波数帯域の信号のみを通過させる下側隣接帯域ＢＰＦ部と、この下側隣接帯域ＢＰＦ部を通過する信号レベルを検出するレベル検出部と、ＩＦ信号のうち前記希望局の周波数帯域の上側に隣接する周波数帯域の信号のみを通過させる上側隣接帯域ＢＰＦ部と、この上
側隣接帯域ＢＰＦ部を通過する信号レベルを検出するレベル検出部とを備えた構成を有している。
【００２１】
この構成により、希望局信号レベルと、希望局の周波数帯域の下側に隣接する周波数帯域の信号レベルと、希望局の周波数帯域の上側に隣接する周波数帯域の信号レベルとをそれぞれ検出し、検出した信号レベルに応じて周波数特性可変部や音量可変部を制御することにより、外来ノイズやアンテナアンプ、または隣接妨害の影響により増大する、スピーカから出力される耳障りなノイズやノイズレベルを低減することができる。
【００２２】
また、本発明の前記受信装置は、アンテナ部で受信した電波をＩＦ周波数帯に変換しＩＦ信号を出力するＲＦフロントエンド部と、ＩＦ信号をデジタル信号に変換するＡＤ部と、復調および出力する音声信号の周波数特性の制御と音量の制御とをおこなうＤＳＰ部と、ＤＳＰ部から出力されるデジタル信号を音声信号に変換するＤＡ部とを備え、デジタル信号処理により前記希望局の信号レベルと、前記希望局の周波数帯域の下側に隣接する周波数帯域の信号レベル及び前記希望局の周波数帯域の上側に隣接する周波数帯域の信号レベルとを検出し、検出された信号レベルに応じて音声信号出力の周波数特性の制御及び音量制御をおこなう構成を有している。
【００２３】
この構成により、希望局の信号レベルと、希望局の周波数帯域の下側に隣接する周波数帯域の信号レベルと、希望局の周波数帯域の上側に隣接する周波数帯域の信号レベルの検出、および検出した信号レベルに応じた周波数特性可変部や音量可変部の制御をソフトウェアで実現することができ、外来ノイズやアンテナアンプ、または隣接妨害の影響により増大する、スピーカから出力される耳障りなノイズやノイズレベルを低減することができる。
【発明の効果】
【００２４】
本発明の受信装置によれば、希望局の信号レベルを検出する希望局レベル検出部と、希望局の周波数帯域の下側に隣接する周波数帯域の信号レベルを検出する下側レベル検出部と、希望局の周波数帯域の上側に隣接する周波数帯域の上側レベル検出部とを設け、これらの信号レベルに応じて、周波数特性可変部や音量可変部を制御することにより、外来ノイズやアンテナアンプの影響で希望局の信号のＣＮが低下した場合でも、スピーカから出力される聴感上耳障りなノイズを低減し、同時にスピーカから出力されるノイズレベルを低減し、または希望局の周波数帯域に隣接した周波数帯域に過大な妨害信号が存在した場合でも、スピーカから出力される聴感上耳障りなノイズを低減し、同時にスピーカから出力されるノイズレベルを低減することができる受信装置を提供することができる。
【発明を実施するための最良の形態】
【００２５】
以下、本発明の実施の形態の受信装置について図面を用いて説明する。
【００２６】
図１には、本発明の第１の実施の形態の受信装置のブロックを示す。なお、従来例と同一の部分には同一の符号を付し、詳細な説明は省略する。
【００２７】
図１に示すように、アンテナ部１で受信した電波はＲＦフロントエンド部２でＩＦ周波数帯に周波数変換され、復調部３でＡＦ信号に復調される。また、希望局レベル検出部４はＩＦ周波数帯に周波数変換されたＩＦ信号から希望局の周波数帯域の信号を抜き出し希望局信号レベルを検出し、下側レベル検出部５はＩＦ信号から希望局の周波数帯域の下側に隣接する周波数帯域の信号を抜き出し下側隣接信号レベルを検出し、上側レベル検出部６はＩＦ信号から希望局の周波数帯域の上側に隣接する周波数帯域の信号を抜き出し上側隣接信号レベルを検出する。
【００２８】
また、周波数特性制御部８は、希望局信号レベルと下側隣接信号レベルと上側隣接信号レベルとに応じた周波数特性制御信号を生成、出力し、周波数特性可変部７は、周波数特性制御信号に応じて復調部３から出力されたＡＦ信号の周波数特性を変化させる。
【００２９】
また、音量制御部１０は、希望局信号レベルに応じた音量制御信号を出力し、音量可変部９は音量制御信号に応じて周波数特性可変部７から出力されたＡＦ信号のレベルを変化させる。
【００３０】
ＡＦアンプ部１１は、音量可変部１０から出力されたＡＦ信号を特定の利得で増幅し、スピーカ１２は音声信号を出力する。
【００３１】
なお、図１において、周波数特性可変部７と音量可変部９の配置順序を逆とした構成にしてもよく、音量可変部９とＡＦアンプ部１１を、音量制御信号に応じて、利得を可変する可変利得ＡＦアンプ部として一体の構成にしてもよく、希望局信号レベルを利用してＲＦフロントエンド部２のＡＧＣ制御を補正する構成としてもよい。
【００３２】
さらに、図１において、周波数特性可変部７の初期周波数特性は、受信装置使用者が任意に可変できる構成としてもよく、このとき受信装置使用者が設定した周波数特性可変部７の周波数特性を、周波数特性制御信号に応じて可変する構成とすることができる。また、図１において音量可変部９の初期通過特性は、受信装置使用者が任意に可変できる構成としてもよく、このとき受信装置使用者が設定した音量可変部９の通過特性を、音量制御信号に応じて可変する構成とすることができる。
【００３３】
以上のように構成された、本発明の第１の実施の形態の受信装置における周波数特性可変部７、周波数特性制御部８の動作について図２を用いて説明する。
【００３４】
希望局信号レベルと下側隣接信号レベルと上側隣接信号レベルとに応じた周波数特性可変部７の周波数特性の変化を図２に示す。
【００３５】
下側隣接信号レベル、上側隣接信号レベルのいずれか一方もしくは両方が所定の値よりも低いとき、希望局信号レベルに対する周波数特性制御信号は図２（ａ）（ア）のように変化する。下側隣接信号レベル、上側隣接信号レベルの両方が所定の値以上のときは、下側隣接信号レベルもしくは上側隣接信号レベルに応じて、希望局信号レベルと周波数特性制御信号の関係が、図２（ａ）に示す（ア）→（イ）→（ウ）となるように周波数特性制御部８が動作する。
【００３６】
また、図２（ｂ）に示すように周波数特性可変部７の周波数特性は通常時の通過特性（エ）から、周波数特性制御信号が増加するのに応じて、（エ）→（オ）→（カ）→（キ）というようにＡＦ信号の高域成分の減衰量が大きくなっていく。
【００３７】
希望局信号レベルが低下すると周波数特性可変部７におけるＡＦ信号の高域成分の減衰量が大きくなり、下側隣接信号レベル、上側隣接信号レベルの両方が所定の値以上のときも周波数特性可変部７におけるＡＦ信号の高域成分の減衰量が大きくなる。
【００３８】
ここで、図２（ａ）では希望局信号レベルが低いときに周波数特性制御信号が大きくなるように示しているが、希望局信号レベルが低いときに周波数特性制御信号が小さくなるような回路構成としてもよい。
【００３９】
この場合、図２（ａ）に示す（ア）、（イ）、（ウ）の値は、同じ希望局信号レベルに対して（ア）≧（イ）≧（ウ）の関係になる。また、周波数特性可変部７の周波数特性は
、周波数特性制御信号が小さいほど、周波数特性可変部７におけるＡＦ信号の高域成分の減衰量が大きくなる構成となる。
【００４０】
周波数特性制御部８の制御は、下側隣接信号レベルもしくは上側隣接信号レベルのどちらか低い信号レベルを用いて、希望局信号レベルと周波数特性制御信号の関係を変化させることが望ましい。
【００４１】
例えば、下側隣接信号レベルもしくは上側隣接信号レベルのどちらか低い信号レベルが所定の値よりも低いときは、希望局信号レベルに対する周波数特性制御信号が図２（ａ）（ア）のように変化する。
【００４２】
また、下側隣接信号レベルもしくは上側隣接信号レベルのうち低い信号レベルが所定の値よりも高いときは、その差が大きいほど希望局信号レベルと周波数特性制御信号の関係が図２（ａ）に示す（ア）→（イ）→（ウ）となるように周波数特性制御部８が動作する。なお、周波数特性可変部７の上限周波数特性である図２（ｂ）（エ）、下限周波数特性である図２（ｂ）（キ）は、周波数特性制御信号の下限値、上限値で決定する構成としてもよい。
【００４３】
また、周波数特性制御信号が所定の値以下であれば上限周波数特性となり、所定の値以上であれば下限周波数特性となるように周波数特性可変部７において設定する構成としてもよい。また、周波数特性可変部７の上限周波数特性、下限周波数特性は受信装置使用者が任意に設定できる構成としてもよい。
【００４４】
次に、本発明の第１の実施の形態の受信装置の効果について、図３を用いて説明する。
【００４５】
図３（ａ）に示すように、ノイズフロアが低いときは下側隣接信号レベル、上側隣接信号レベルとも低いため、希望局信号レベルに対する周波数特性可変部７の周波数特性は従来の受信装置と同様の特性を示す。
【００４６】
図３（ｂ）に示すように、外来ノイズやアンテナアンプを使用することによりＩＦ信号のノイズフロアが上昇しているとき、同じ希望局信号レベルでもＣＮは低下する。このとき下側隣接信号レベル、上側隣接信号レベルが増加し、周波数特性可変部７におけるＡＦ信号の高域成分の減衰量が増加するように周波数特性制御部８が動作する。
【００４７】
また、図３（ｃ）に示すように、希望局信号の周波数帯に隣接する周波数帯の一方にのみ隣接局信号が存在する場合、下側隣接信号レベルと上側隣接信号レベルの一方のみが高くなっているため、希望局信号レベルに対する周波数特性可変部７の周波数特性は従来の受信装置と同様の特性を示す。
【００４８】
下側隣接信号レベルと上側隣接信号レベルをそれぞれ検出することにより、希望局信号の周波数帯に隣接する周波数帯の一方にのみ隣接局信号が存在する場合に、隣接局信号の影響で周波数特性可変部７におけるＡＦ信号の高域成分の減衰量が大きくなることを阻止できる。
【００４９】
さらに、本発明の第１の実施の形態の受信装置における周波数特性制御部８は、下側隣接信号レベルもしくは上側信号レベルが、希望局信号レベルと比較して過大なときに、周波数特性可変部７におけるＡＦ信号の高域成分の減衰量を大きくする構成としてもよい。
【００５０】
このときの周波数制御部８は、下側隣接信号レベルもしくは上側隣接信号レベルのうち高い信号レベルと、希望局信号レベルとの差をとり、この差が所定の値よりも大きいとき
は希望局信号レベルと周波数特性制御信号との関係を変化させることが望ましい。
【００５１】
例えば、下側隣接信号レベルもしくは上側隣接信号レベルのうち高い信号レベルと希望局信号レベルとの差が所定の値よりも小さいとき、希望局信号レベルに対する周波数特性制御信号は図２（ａ）（ア）のように変化する。
【００５２】
また、下側隣接信号レベルもしくは上側隣接信号レベルのうち高い信号レベルと希望局信号レベルとの差が所定の値よりも大きいときは、その差が大きいほど希望局信号レベルと周波数特性制御信号の関係が図２（ａ）に示す（ア）→（イ）→（ウ）となるように周波数特性制御部８が動作する構成とする。
【００５３】
また、周波数特性制御部８は、下側隣接信号レベルと希望局信号レベルとの差、もしくは上側隣接信号レベルと希望局信号レベルとの差のうち、どちらか大きい値の差を用い、その差が所定の値よりも大きいときは希望局信号レベルと周波数特性制御信号との関係を、その差に応じて変化させる構成としてもよい。
【００５４】
このような構成により、図４に示すように希望局の周波数帯域に隣接した周波数帯域に過大な妨害信号が存在したときに、受信装置の選択度不足によりスピーカ１２から出力される聴感上耳障りなノイズを低減することができる。
【００５５】
以上より本発明の第１の実施の形態の受信装置によれば、希望局の信号レベルを検出する希望局レベル検出部と、希望局の周波数帯域の下側に隣接する周波数帯域の信号レベルを検出する下側レベル検出部と、希望局の周波数帯域の上側に隣接する周波数帯域の信号レベルを検出する上側レベル検出部と、希望局信号レベルと下側隣接信号レベルと上側隣接信号レベルとに応じて周波数特性可変部の周波数特性を制御する周波数特性制御部を設けることにより、外来ノイズやアンテナアンプの影響で希望局信号のＣＮが低下したとき、スピーカから出力される聴感上耳障りなノイズを低減することができる。
【００５６】
また、希望局の周波数帯域に隣接した周波数帯域に、希望局信号レベルと比較して過大な妨害信号が存在したとき、聴感上耳障りなノイズを低減することができる。
【００５７】
次に、本発明の第２の実施の形態の受信装置のブロック図を図５に示す。なお、従来の受信装置、または本発明の第１の実施の形態の受信装置と同一の部分には同一の符号を付し、詳細な説明は省略する。
【００５８】
図５において、周波数特性制御部１３は希望局信号レベルに応じた周波数特性制御信号を出力する。音量制御部１４は希望局信号レベルと下側隣接信号レベルと上側隣接信号レベルとに応じた音量制御信号を出力する。
【００５９】
図５において、周波数特性可変部７と音量可変部９の配置順序を逆とした構成にしてもよく、音量可変部９とＡＦアンプ部１１を、音量制御信号に応じて、利得を可変する可変利得ＡＦアンプ部として一体の構成にしてもよく、希望局信号レベルを利用してＲＦフロントエンド部２のＡＧＣ制御を補正する構成としてもよく、周波数特性可変部７の初期周波数特性は、受信装置使用者が任意に可変できる構成としてもよい。
【００６０】
このとき受信装置使用者が設定した周波数特性可変部７の周波数特性を、周波数特性制御信号に応じて可変する構成となる。
【００６１】
また、図５において音量可変部９の初期通過特性は、受信装置使用者が任意に可変できる構成としてもよい。このとき受信装置使用者の設定した音量可変部９の通過特性を、音
量制御信号に応じて可変する構成となる。
【００６２】
以上のように構成された、本発明の第２の実施の受信装置における音量可変部９、音量制御部１４の動作について、図６を用いて説明する。
【００６３】
図６は、希望局信号レベルと下側隣接信号レベルと上側隣接信号レベルとに応じた音量可変部の通過特性の変化を示している。
【００６４】
下側隣接信号レベル、上側隣接信号レベルのいずれか一方もしくは両方が所定の値よりも低いとき、希望局信号レベルに対する音量制御信号は図６（ａ）（ア）のように変化する。
【００６５】
また、下側隣接信号レベル、上側隣接信号レベルの両方が所定の値以上のときは、下側隣接信号レベルもしくは上側隣接信号レベルに応じて、希望局信号レベルと音量制御信号の関係が、図６（ａ）に示す（ア）→（イ）→（ウ）となるように音量制御部１４が動作する。
【００６６】
図６（ｂ）に示すように音量可変部９の通過特性は通常時の通過特性（エ）から、音量制御信号が減少するのに応じて、（エ）→（オ）→（カ）→（キ）というように音量可変部９の通過レベルが低下していく。希望局信号レベルが低下すると音量可変部９におけるＡＦ信号の通過レベルが低下し、下側隣接信号レベル、上側隣接信号レベルの両方が所定の値以上のときも音量可変部９におけるＡＦ信号の通過レベルが低下する。
【００６７】
なお、図６（ａ）では希望局信号レベルが低いときに音量制御信号が低くなるように示しているが、希望局信号レベルが低いときに音量制御信号が高くなるような回路構成としてもよい。この場合、図６（ａ）に示す（ア）、（イ）、（ウ）の値は、同じ希望局信号レベルに対して（ア）≦（イ）≦（ウ）の関係になる。また、音量制御信号が高いほど、音量可変部９におけるＡＦ信号の通過レベルが低くなる構成となる。
【００６８】
音量制御部１４の制御は、下側隣接信号レベルもしくは上側隣接信号レベルのうちどちらか低い信号レベルを用いて、希望局信号レベルと音量制御信号の関係を変化させることが望ましい。
【００６９】
例えば、下側隣接信号レベルもしくは上側隣接信号レベルのうち低い信号レベルが所定の値よりも低いとき、希望局信号レベルに対する音量制御信号は図６（ａ）（ア）のように変化する。
【００７０】
また、下側隣接信号レベルもしくは上側隣接信号レベルのうち低い信号レベルが所定の値よりも高いときは、その差が大きいほど希望局信号レベルと音量制御信号の関係が図６（ａ）に示す（ア）→（イ）→（ウ）となるように音量制御部１４が動作する。
【００７１】
また、音量可変部１４の上限通過特性である図６（ｂ）（エ）、下限通過特性である図６（ｂ）（キ）は、音量制御信号の上限値、下限値で決定する構成としてもよい。また、音量制御信号が所定の値以上であれば上限通過特性となり、所定の値以下であれば下限通過特性となるように音量可変部９において設定する構成としてもよい。また、音量可変部９の上限通過特性、下限通過特性は受信装置使用者が任意に設定できる構成としてもよい。
【００７２】
以上のように構成された本発明の第２の実施の形態の受信装置について、その動作を説明する。
【００７３】
ＩＦ信号のノイズフロアが低いときは下側隣接信号レベル、上側隣接信号レベルとも低いため、希望局信号レベルに対する音量可変部９の通過特性は従来の受信装置と同様の特性を示す。
【００７４】
外来ノイズやアンテナアンプを使用することによりＩＦ信号のノイズフロアが上昇しているとき、同じ希望局信号レベルでもＣＮは低下する。このとき下側隣接信号レベル、上側隣接信号レベルが増加し、音量可変部９におけるＡＦ信号の通過レベルが低下するように音量制御部１４が動作する。
【００７５】
希望局信号の周波数帯に隣接する周波数帯の一方にのみ隣接局信号が存在する場合、下側隣接信号レベルと上側隣接信号レベルの一方のみが高くなっているため、希望局信号レベルに対する音量可変部９の通過特性は従来の受信装置と同様の特性を示す。下側隣接信号レベルと上側隣接信号レベルをそれぞれ検出することにより、希望局信号の周波数帯に隣接する周波数帯の一方にのみ隣接局信号が存在する場合に、隣接局信号の影響で音量可変部７における減衰量が大きくなることを阻止できる。
【００７６】
また、本発明の第２の実施の形態の受信装置における音量制御部１４は、下側隣接信号レベル、もしくは上側隣接信号レベルが、希望局信号レベルと比較して過大なときに、音量可変部９におけるＡＦ信号の減衰量を大きくする構成としてもよい。
【００７７】
このときの音量制御部１４は、下側隣接信号レベルもしくは上側隣接信号レベルのうち、高い信号レベルと希望局信号レベルとの差をとり、この差が所定の値よりも大きいときは希望局信号レベルと音量制御信号との関係を変化させることが望ましい。
【００７８】
下側隣接信号レベルもしくは上側隣接信号レベルのうち高い信号レベルと希望局信号レベルとの差が所定の値よりも小さいとき、希望局信号レベルに対する音量制御信号は図６（ａ）（ア）のように変化する。
【００７９】
また、下側隣接信号レベルもしくは上側隣接信号レベルのうち高い信号レベルと希望局信号レベルとの差が所定の値よりも高いときは、その差が大きいほど希望局信号レベルと音量制御信号の関係が図６（ａ）に示す（ア）→（イ）→（ウ）となるように音量制御部１４が動作する構成とする。
【００８０】
また、音量制御部１４は、下側隣接信号レベルと希望局信号レベルとの差、もしくは上側隣接信号レベルと希望局信号レベルとの差のうち、どちらか高い値の差を用い、その差が所定の値よりも大きいときは希望局信号レベルと音量制御信号との関係を、その差に応じて変化させる構成としてもよい。
【００８１】
このような構成により、希望局の周波数帯域に隣接した周波数帯域に過大な妨害信号が存在したときに、受信装置の選択度不足によりスピーカ１２から出力されてしまうノイズレベルを低減することができる。
【００８２】
以上のように本発明の第２の実施の形態の受信装置によれば、希望局の信号レベルを検出する希望局レベル検出部と、希望局の周波数帯域の下側に隣接する周波数帯域の信号レベルを検出する下側レベル検出部と、希望局の周波数帯域の上側に隣接する周波数帯域の信号レベルを検出する上側レベル検出部と、希望局信号レベルと下側隣接信号レベルと上側隣接信号レベルとに応じて音量可変部の通過特性を制御する音量制御部を設けることにより、外来ノイズやアンテナアンプの影響で希望局信号のＣＮが低下したとき、スピーカから出力されるノイズレベルを低減することができる。
【００８３】
また、希望局の周波数帯域に隣接した周波数帯域に、希望局の信号レベルと比較して過大な妨害信号が存在するとき、ノイズレベルを低減することができる。
【００８４】
次に、本発明の第３の実施の形態の受信装置のブロック図を図７に示す。なお、本発明の第１の実施の形態の受信装置、または第２の実施の形態の受信装置と同一の部分には同一の符号を付し、詳細な説明は省略する。
【００８５】
図７において、希望局信号レベル、下側隣接信号レベル、上側隣接信号レベルはそれぞれが分岐され、周波数特性制御部８、および音量制御部１４とに入力される。周波数特性制御部８は希望局信号レベルと下側隣接信号レベルと上側隣接信号レベルとに応じた周波数特性制御信号を生成、出力する。音量制御部１４は希望局信号レベルと下側隣接信号レベルと上側隣接信号レベルとに応じた音量制御信号を生成、出力する。
【００８６】
以上のように構成された本発明の第３の実施の形態の受信装置において、周波数特性可変部７、周波数特性制御部８は、本発明の第１の実施の形態の受信装置と同様の動作をおこなう。また、音量可変部９、音量制御部１４は、本発明の第２の実施の形態の受信装置における動作と同様の動作をおこなう。
【００８７】
以上のように本発明の第３の実施の形態の受信装置によれば、希望局の信号レベルを検出する希望局レベル検出部と、希望局の周波数帯域の下側に隣接する周波数帯域の信号レベルを検出する下側レベル検出部と、希望局の周波数帯域の上側に隣接する周波数帯域の信号レベルを検出する上側レベル検出部と、希望局信号レベルと下側隣接信号レベルと上側隣接信号レベルとに応じて周波数特性可変部の周波数特性を制御する周波数特性制御部と、希望局信号レベルと下側隣接信号レベルと上側隣接信号レベルとに応じて音量可変部の通過特性を制御する音量制御部を設けることにより、外来ノイズやアンテナアンプの影響で希望局信号のＣＮが低下したとき、スピーカから出力される耳障りなノイズやノイズレベルを低減することができる。
【００８８】
また、希望局の周波数帯域に隣接した周波数帯域に、希望局の信号レベルと比較して過大な妨害信号が存在したとき、聴感上耳障りなノイズやノイズレベルを低減することができる。
【００８９】
次に、本発明の第４の実施の形態の受信装置のブロック図を図８に示す。なお、本発明の第１の実施の形態の受信装置、または第２の実施の形態の受信装置と同一の部分には同一の符号を付し、詳細な説明は省略する。
【００９０】
図８において、希望局レベルシフト部１５は下側隣接信号レベルと上側隣接信号レベルに応じて、希望局信号レベルの値をシフトさせて希望局レベルシフト信号を出力する。周波数特性制御部１３は、希望局レベルシフト信号レベルに応じた周波数特性制御信号を出力する。音量制御部１０は、希望局レベルシフト信号レベルに応じた音量制御信号を出力する。
【００９１】
以上のように構成された本発明の第４の実施の形態の受信装置における希望局レベルシフト部１５の動作について図９を用いて説明する。
【００９２】
図９には、希望局信号レベルと下側隣接信号レベルと上側隣接信号レベルとに応じた希望局レベルシフト信号の変化を示す。
【００９３】
下側隣接信号レベル、上側隣接信号レベルのいずれか一方もしくは両方が所定の値より
も低いとき、図９（ア）に示すように希望局レベルシフト信号レベルと希望局信号レベルとが等しくなるように、希望局レベルシフト部１５が動作する。
【００９４】
このとき、希望局信号レベルに対する周波数特性可変部７の周波数特性、および希望局信号レベルに対する音量可変部９の通過特性は、従来の受信装置と等しくなる。
【００９５】
また、下側隣接信号レベル、上側隣接信号レベルの両方が所定の値以上のときは、下側隣接信号レベルもしくは上側隣接信号レベルに応じて、希望局信号レベルと希望局レベルシフト信号レベルとの関係が、図９に示す（ア）→（イ）→（ウ）となるように希望局レベルシフト部１５が動作する。
【００９６】
この構成により、希望局レベルシフト信号が小さいとき、周波数特性可変部７におけるＡＦ信号の高域成分の減衰量が大きくなり、音量可変部９におけるＡＦ信号の減衰量が大きくなる。
【００９７】
希望局レベルシフト部１５の制御は、下側隣接信号レベルもしくは上側隣接信号レベルのうち低い信号レベルを用いて、希望局信号レベルをシフトさせることが望ましい。
【００９８】
下側隣接信号レベルもしくは上側隣接信号レベルのうち低い信号レベルが所定の値よりも低いとき、希望局レベルシフト部１５は希望局信号レベルと希望局レベルシフト信号レベルとを等しくする。
【００９９】
下側隣接信号レベルもしくは上側隣接信号レベルのうち低い信号レベルが所定の値よりも高いときは、その差が大きいほど希望局レベルシフト部１５は希望局信号レベルを大きく減衰させて希望局レベルシフト信号として出力する。
【０１００】
また、本発明の第４の実施の形態の受信装置における希望局レベルシフト部１５は、下側隣接信号レベル、もしくは上側隣接信号レベルが、希望局信号レベルと比較して過大なときに、希望局レベルシフト部１５における希望局信号レベルの減衰量が大きくなる構成をしていてもよい。
【０１０１】
このときの希望局レベルシフト部１５は、下側隣接信号レベルもしくは上側隣接信号レベルのうち高い信号レベルと、希望局信号レベルとの差をとり、この差が所定の値よりも大きいときは希望局信号レベルと希望局レベルシフト信号との関係を変化させることが望ましい。
【０１０２】
下側隣接信号レベルもしくは上側隣接信号レベルのうち高い信号レベルと、希望局信号レベルとの差が所定の値よりも小さいとき、図９（ア）に示すように希望局レベルシフト信号レベルと希望局信号レベルとが等しくなるように、希望局レベルシフト部１５が動作する。
【０１０３】
また、下側隣接信号レベルもしくは上側隣接信号レベルのうち高い信号レベルと、希望局信号レベルとの差が所定の値よりも大きいときは、その差が大きいほど希望局レベルシフト部１５は希望局信号レベルを大きく減衰させて希望局レベルシフト信号として出力する。
【０１０４】
以上のように本発明の第４の実施の形態の受信装置によれば、希望局の信号レベルを検出する希望局レベル検出部と、希望局の周波数帯域の下側に隣接する周波数帯域の信号レベルを検出する下側レベル検出部と、希望局の周波数帯域の上側に隣接する周波数帯域の信号レベルを検出する上側レベル検出部と、下側隣接信号レベルと上側隣接信号レベルと
に応じて希望局信号レベルをシフトして希望局レベルシフト信号を出力する希望局レベルシフト部と、希望局レベルシフト信号に応じて周波数特性可変部の周波数特性を制御する周波数特性制御部と、希望局レベルシフト信号に応じて音量可変部の通過特性を制御する音量制御部を設けることにより、外来ノイズやアンテナアンプの影響で希望局信号のＣＮが低下したとき、スピーカから出力される耳障りなノイズやノイズレベルを低減することができる。
【０１０５】
また、希望局の周波数帯域に隣接した周波数帯域に、希望局の信号レベルと比較して過大な妨害信号が存在したとき、聴感上耳障りなノイズやノイズレベルを低減することができる。
【０１０６】
次に、本発明の第５の実施の形態の受信装置のブロック図を図１０に示す。なお、本発明の第１の実施の形態の受信装置、または第２の実施の形態の受信装置と同一の部分には同一の符号を付し、詳細な説明は省略する。
【０１０７】
図１０において、帯域幅制御部１７は希望局信号レベルと下側隣接信号レベルと上側隣接信号レベルとに応じた帯域幅制御信号を生成、出力する。帯域幅可変ＢＰＦ部１６は帯域幅制御信号に応じて通過帯域幅を可変する。
【０１０８】
以上のように構成された本発明の第５の実施の形態の受信装置における帯域幅可変ＢＰＦ部１６と帯域幅制御部１７の動作について、図１１を用いて説明する。
【０１０９】
図１１には、希望局信号レベルと下側隣接信号レベルと上側隣接信号レベルとに応じた帯域幅可変ＢＰＦ部１６の周波数特性の変化を示す。
【０１１０】
下側隣接信号レベル、上側隣接信号レベルのいずれか一方もしくは両方が所定の値よりも低いとき、希望局信号レベルに対する帯域幅制御信号は図１１（ａ）（ア）のように変化する。
【０１１１】
下側隣接信号レベル、上側隣接信号レベルの両方が所定の値以上のときは、下側隣接信号レベルもしくは上側隣接信号レベルに応じて、希望局信号レベルと帯域幅制御信号の関係が、図１１（ａ）に示す（ア）→（イ）→（ウ）となるように帯域幅制御部１７が動作する。
【０１１２】
図１１（ｂ）に示すように帯域幅可変ＢＰＦ部１６の周波数特性は通常時の周波数特性（エ）から、帯域幅制御信号が減少するのに応じて、（エ）→（オ）→（カ）というように、通過帯域幅が狭くなっていく。
【０１１３】
希望局信号レベルが低下すると帯域幅可変ＢＰＦ部１６の通過帯域幅が狭くなり、下側隣接信号レベル、上側隣接信号レベルの両方が所定の値以上のときも帯域幅可変ＢＰＦ部１６の通過帯域幅が狭くなる。
【０１１４】
ここで、帯域幅制御部１７の制御は、下側隣接信号レベルもしくは上側隣接信号レベルのうち低い信号レベルを用いて、希望局信号レベルと帯域幅制御信号の関係を変化させることが望ましい。
【０１１５】
下側隣接信号レベルもしくは上側隣接信号レベルのうち低い信号レベルが所定の値よりも低いとき、希望局信号レベルに対する帯域幅制御信号は図１１（ａ）（ア）のように変化する。
【０１１６】
下側隣接信号レベルもしくは上側隣接信号レベルのうち低い信号レベルが所定の値よりも高いときは、その差が大きいほど希望局信号レベルと帯域幅制御信号の関係が図１１（ａ）に示す（ア）→（イ）→（ウ）となるように帯域幅制御部１７が動作する。
【０１１７】
帯域幅可変ＢＰＦ部１６の上限周波数特性である図１１（ｂ）（エ）、下限周波数特性である図１１（ｂ）（カ）は、帯域幅制御信号の上限値、下限値で決定する構成としてもよい。また、帯域幅制御信号が所定の値以上であれば上限周波数特性となり、所定の値以下であれば下限周波数特性となるように帯域幅可変ＰＦ部１６において設定する構成としてもよい。
【０１１８】
以上のように構成された本発明の第５の実施の形態の受信装置について、その動作を説明する。
【０１１９】
ＩＦ信号のノイズフロアが低いときは下側隣接信号レベル、上側隣接信号レベルとも低いため、希望局信号レベルに対する帯域幅可変ＢＰＦ部１６の通過特性は従来の受信装置と同様の特性を示す。
【０１２０】
外来ノイズやアンテナアンプを使用することによりＩＦ信号のノイズフロアが上昇しているとき、同じ希望局信号レベルでもＣＮは低下している。このとき下側隣接信号レベル、上側隣接信号レベルが増加しているため、帯域幅可変ＢＰＦ部１６の通過帯域幅が狭くなるように帯域幅制御部１７が動作する。
【０１２１】
希望局信号の周波数帯に隣接する周波数帯の一方にのみ隣接局信号が存在する場合、下側隣接信号レベルと上側隣接信号レベルの一方のみが高くなっているため、希望局信号レベルに対する帯域幅可変ＢＰＦ部１６の周波数特性は従来の受信装置と同様の特性を示す。
【０１２２】
下側隣接信号レベルと上側隣接信号レベルをそれぞれ検出することにより、希望局信号の周波数帯に隣接する周波数帯の一方にのみ隣接局信号が存在する場合に、隣接局信号の影響で帯域幅可変ＢＰＦ部１６における通過帯域幅が狭くなることを阻止できる。
【０１２３】
また、本発明の第５の実施の形態の受信装置における帯域幅制御部１７は、下側隣接信号レベル、もしくは上側隣接信号レベルが希望局信号レベルと比較して過大なときに、帯域幅可変ＢＰＦ部１６における通過帯域幅を狭くする構成にをしてもよい。
【０１２４】
このときの帯域幅制御部１７は、下側隣接信号レベルもしくは上側隣接信号レベルのうち高い信号レベルと、希望局信号レベルとの差をとり、この差が所定の値よりも大きいときは希望局信号レベルと帯域幅制御信号の関係を変化させることが望ましい。
【０１２５】
下側隣接信号レベルもしくは上側隣接信号レベルのうち高い信号レベルと、希望局信号レベルとの差が所定の値よりも小さいとき、希望局信号レベルに対する帯域幅制御信号は図１１（ａ）（ア）のように変化する。
【０１２６】
下側隣接信号レベルもしくは上側隣接信号レベルのうち高い信号レベルと、希望局信号レベルとの差が所定の値よりも大きいときは、その差が大きいほど希望局信号レベルと帯域幅制御信号との関係が図１１（ａ）に示す（ア）→（イ）→（ウ）となるように帯域幅制御部１７が動作する構成とする。
【０１２７】
また、帯域幅制御部１７は、下側隣接信号レベルと希望局信号レベルとの差、もしくは上側隣接信号レベルと希望局信号レベルとの差のうち、どちらか高い値を用い、その差が
所定の値よりも大きいときは希望局信号レベルと帯域幅制御信号の関係をその差に応じて変化させる構成としてもよい。
【０１２８】
このような構成により、希望局の周波数帯域に隣接した周波数帯域に過大な妨害信号が存在したときに、受信装置の選択度不足による希望局近傍の妨害信号による隣接妨害を低減することができる。
【０１２９】
以上のように本発明の第５の実施の形態の受信装置によれば、希望局の信号レベルを検出する希望局レベル検出部と、希望局の周波数帯域の下側に隣接する周波数帯域の信号レベルを検出する下側レベル検出部と、希望局の周波数帯域の上側に隣接する周波数帯域の信号レベルを検出する上側レベル検出部と、帯域幅を可変できる帯域幅可変ＢＰＦ部と、この帯域幅可変ＢＰＦ部を制御する帯域幅制御部とを設けることにより、外来ノイズやアンテナアンプの影響で希望局信号のＣＮが低下したとき、スピーカから出力される耳障りなノイズやノイズレベルを低減することができる。
【０１３０】
また、希望局の周波数帯域に隣接した周波数帯域に、希望局の信号レベルと比較して過大な妨害信号が存在したとき、聴感上耳障りなノイズやノイズレベルを低減することができる。
【０１３１】
このような本発明の第５の実施の形態の受信装置は、例えば、ＦＭラジオのような周波数変調方式の受信装置として特に有用である。
【０１３２】
次に、本発明の第６の実施の形態の受信装置のブロック図を図１２に示す。なお、本発明の第１の実施の形態の受信装置、または第２の実施の形態の受信装置と同一の部分には同一の符号を付し、詳細な説明は省略する。
【０１３３】
図１２において、希望局帯域ＢＰＦ部１８は希望局の周波数帯域を通過帯域とするＢＰＦ、レベル検出部１９は希望局帯域ＢＰＦ部１８を通過した信号のレベルを検出し希望局信号レベルを出力する。
【０１３４】
下側隣接帯域ＢＰＦ部２０は希望局の周波数帯域の下側に隣接する周波数帯域を通過帯域とするＢＰＦ、レベル検出部２１は下側隣接帯域ＢＰＦ部２０を通過した信号のレベルを検出し下側隣接信号レベルを出力する。
【０１３５】
上側隣接帯域ＢＰＦ部２２は希望局の周波数帯域の上側に隣接する周波数帯域を通過帯域とするＢＰＦ、レベル検出部２３は上側隣接帯域ＢＰＦ部２２を通過した信号のレベルを検出し上側隣接信号レベルを出力する。
【０１３６】
なお、図１２において、希望局帯域ＢＰＦ部１８の出力を分岐し、復調部３とレベル検出部１９のそれぞれに入力する構成としても良い。
【０１３７】
以上のように構成された本発明の第６の実施の形態の受信装置における希望局帯域ＢＰＦ部１８と下側隣接帯域ＢＰＦ部２０と上側隣接帯域ＢＰＦ部２２の周波数特性について図１３を用いて説明する。
【０１３８】
図１３に示すように、希望局帯域ＢＰＦ部１８は、希望局の周波数帯域を通過帯域とし、隣接局の信号の影響を低減できるように急峻な特性を有している。
【０１３９】
下側隣接帯域ＢＰＦ部２０は、希望局の周波数帯域の下側に隣接する周波数帯域を通過帯域とし、希望局の信号の影響を低減できるように急峻な特性を有している。
【０１４０】
上側隣接帯域ＢＰＦ部２２は、希望局の周波数帯域の上側に隣接する周波数帯域を通過帯域とし、希望局の信号の影響を低減できるように急峻な特性を有している。
【０１４１】
また、図１３に示すように、下側隣接ＢＰＦ部２０および上側隣接ＢＰＦ部２２の中心周波数を希望局周波数から離し、下側隣接信号レベルおよび上側隣接信号レベルを検出するときに希望局の信号の影響が低減できる構成としてもよい。  
【０１４２】
また、希望局帯域ＢＰＦ部１８の帯域幅と下側隣接帯域ＢＰＦ２０および上側隣接ＢＰＦ部２２の通過帯域幅が異なる構成としてもよい。
【０１４３】
以上のように本発明の第６の実施の形態の受信装置によれば、ＩＦ信号のうち希望局の周波数帯域の信号を通過させる希望局帯域ＢＰＦ部と、この希望局帯域ＢＰＦ部を通過する信号レベルを検出するレベル検出部と、ＩＦ信号のうち希望局の周波数帯域の下側に隣接する周波数帯域の信号を通過させる下側隣接帯域ＢＰＦ部と、この下側隣接帯域ＢＰＦ部を通過する信号レベルを検出するレベル検出部と、ＩＦ信号のうち希望局の周波数帯域の上側に隣接する周波数帯域を通過させる上側隣接帯域ＢＰＦ部と、この上側隣接帯域ＢＰＦ部を通過する信号レベルを検出するレベル検出部とを設けることにより、希望局信号レベルの検出精度と、下側隣接信号レベルの検出精度と、上側隣接信号レベルの検出精度とを向上させ、検出した信号レベルに応じて周波数特性可変部や音量可変部を制御することにより、外来ノイズやアンテナアンプや隣接妨害の影響により増大するスピーカから出力される耳障りなノイズやノイズレベルを低減することができる。
【０１４４】
次に、本発明の第７の実施の形態の受信装置のブロック図を図１４に示す。なお、本発明の第１の実施の形態の受信装置、または第２の実施の形態の受信装置と同一の部分には同一の符号を付し、詳細な説明は省略する。
【０１４５】
図１４において、ＡＤ部２５はＲＦフロントエンド部２においてＩＦ周波数帯に周波数変換されたＩＦ信号をデジタル信号としてＤＳＰ部２４に取り込む。
【０１４６】
取り込んだデジタル信号は復調部２６で復調され、希望局レベル検出部２７で検出された希望局信号レベルと下側レベル検出部２８で検出された下側隣接信号レベルと上側レベル検出部２９で検出された上側隣接信号レベルとに応じて、周波数特性制御部３１で生成された周波数特性制御信号により周波数特性可変部３０において周波数特性が可変され、希望局信号レベルと下側隣接信号レベルと上側隣接信号レベルとに応じて、音量制御部３３で生成された音量制御信号により音量可変部３２において出力レベルが可変され、ＤＡ部３４でデジタル信号からＡＦ信号に変換されて、ＤＳＰ部２４から出力される。
【０１４７】
以上のように構成された受信装置によれば、ＩＦ信号以降の制御をデジタル化することにより、部品点数を削減することができる。また、それぞれの信号レベルの検出をデジタル信号処理でおこなうことにより、信号レベル検出におけるＢＰＦ部の選択度を向上し、ＢＰＦ部の周波数特性を安定させることができる。
【０１４８】
以上のように本発明の第７の実施の形態の受信装置によれば、ＩＦ信号をデジタル信号に変換するＡＤ部と、復調と出力するＡＦ信号の周波数特性の制御と音量の制御とをおこなうＤＳＰ部と、ＤＳＰ部から出力されるデジタル信号をＡＦ信号に変換するＤＡ部とを設けることにより、希望局の信号レベルと、希望局の周波数帯域の下側に隣接する周波数帯域の信号レベルと、希望局の周波数帯域の上側に隣接する周波数帯域の信号レベルの検出、および検出した信号レベルに応じた周波数特性可変部や音量可変部の制御をソフトウェアで実現することができ、外来ノイズやアンテナアンプや隣接妨害の影響により増大す
る、スピーカから出力される耳障りなノイズやノイズレベルを低減することができる。
【産業上の利用可能性】
【０１４９】
以上のように、本発明にかかる受信装置は、外来ノイズやアンテナアンプの影響で受信装置に入力される希望局の信号のＣＮが低下した場合でも、スピーカから出力される聴感上耳障りなノイズを低減し、同時にスピーカから出力されるノイズレベルを低減し、または希望局の周波数帯域に隣接した周波数帯域に過大な妨害信号が存在した場合でも、スピーカから出力される聴感上耳障りなノイズを低減し、同時にスピーカから出力されるノイズレベルを低減することができるという効果を有し、希望局の受信電界レベルに応じて、出力する音声信号の周波数特性と音量を可変する、例えばラジオのような受信装置において有用である。
【図面の簡単な説明】
【０１５０】
【図１】本発明の第１の実施の形態における受信装置のブロック図
【図２】（ａ）本発明の第１の実施の形態における希望局信号レベルに対する周波数特性制御部の出力図（ｂ）本発明の第１の実施の形態における周波数特性制御信号に対する周波数特性可変部の周波数特性図
【図３】（ａ）本発明の第１の実施の形態における通常のＩＦ信号のスペクトラム図（ｂ）本発明の第１の実施の形態における外来ノイズが存在しているときのＩＦ信号のスペクトラム図（ｃ）本発明の第１の実施の形態における希望局信号と隣接局信号のスペクトラム図
【図４】希望局信号と過大隣接局信号のスペクトラム図
【図５】本発明の第２の実施の形態における受信装置のブロック図
【図６】（ａ）本発明の第２の実施の形態における希望局信号レベルに対する音量制御部の出力図（ｂ）本発明の第２の実施の形態における音量制御信号に対する音量可変部の通過特性図
【図７】本発明の第３の実施の形態における受信装置のブロック図
【図８】本発明の第４の実施の形態における受信装置のブロック図
【図９】本発明の第４の実施の形態における希望局信号レベルに対する希望局レベルシフト信号を表したレベル図
【図１０】本発明の第５の実施の形態における受信装置のブロック図
【図１１】（ａ）本発明の第５の実施の形態における希望局信号レベルに対する帯域幅制御部の出力図（ｂ）本発明の第５の実施の形態における帯域幅制御信号に対する帯域幅可変ＢＰＦ部の周波数特性図
【図１２】本発明の第６の実施の形態における受信装置のブロック図
【図１３】本発明の第６の実施の形態におけるＢＰＦ部の周波数特性図
【図１４】本発明の第７実施の形態における受信装置のブロック図
【図１５】従来技術における受信装置の同調部のブロック図
【図１６】（ａ）従来技術の希望局信号レベルに対する周波数特性制御部の出力図（ｂ）従来技術の周波数特性制御信号に対する周波数特性可変部の周波数特性図
【図１７】（ａ）従来技術の希望局信号レベルに対する音量制御部の出力図（ｂ）従来技術の音量制御信号に対する音量可変部の通過特性図
【符号の説明】
【０１５１】
１  アンテナ部
２  ＲＦフロントエンド部
３  復調部
４  希望局レベル検出部
５  下側レベル検出部
６  上側レベル検出部
７  周波数特性可変部
８  周波数特性制御部
９  音量可変部
１０  音量制御部
１１  ＡＦアンプ
１２  スピーカー
１３  周波数特性制御部
１４  音量制御部
１５  希望局レベルシフト部
１６  帯域幅可変ＢＰＦ部
１７  帯域幅制御部
１８  希望局帯域ＢＰＦ部
１９、２１、２３  レベル検出部
２０  下側隣接帯域ＢＰＦ部
２２  上側隣接帯域ＢＰＦ部
２４  ＤＳＰ部
２５  ＡＤ部
２６  復調部
２７  希望局レベル検出部
２８  下側レベル検出部
２９  上側レベル検出部
３０  周波数特性可変部
３１  周波数特性制御部
３２  音量可変部
３３  音量制御部  
３４  ＤＡ部
【図１】
2006253886.tif 000003
【図２】
2006253886.tif 000004
【図３】
2006253886.tif 000005
【図４】
2006253886.tif 000006
【図５】
2006253886.tif 000007
【図６】
2006253886.tif 000008
【図７】
2006253886.tif 000009
【図８】
2006253886.tif 000010
【図９】
2006253886.tif 000011
【図１０】
2006253886.tif 000012
【図１１】
2006253886.tif 000013
【図１２】
2006253886.tif 000014
【図１３】
2006253886.tif 000015
【図１４】
2006253886.tif 000016
【図１５】
2006253886.tif 000017
【図１６】
2006253886.tif 000018
【図１７】
2006253886.tif 000019